(57)【要約】【課題】電源ホースと給水管を水洗便器の内部に隠蔽し、一体感のある着脱容易な衛生洗浄装置を提供する。【解決手段】ケーシングと、水洗便器の上面後部に固定される固定部材とを備え、水洗便器に固定された固定部材に対してケーシングを前後方向へスライドさせることで、ケーシングを固定部材に着脱することが可能な衛生洗浄装置において、ケーシングは、ケーシングの底面から上面に向かって窪んでいる凹部が設けられ、凹部の下部には、凹部の側壁面から凹部の内方に向けて突設されるケーシング係合部を有し、固定部材は、その上面から上方に向かって突設された凸部が設けられ、凸部の上部には、凸部の側壁面から外方に向けて突設され、ケーシング係合部と凹部内にて係合可能な固定部材係合部を有し、ケーシング係合部及び固定部材係合部の少なくとも一方には、前後方向の長さに亘って切り欠きを設けられていることを特徴とする衛生洗浄装置。【選択図】図１
2014147445.tif 000002
【特許請求の範囲】
【請求項１】
局部洗浄のための機能部を収納したケーシングと、
水洗便器の上面後部に固定される固定部材と、を備え、
水洗便器に固定された前記固定部材に対して前記ケーシングを前後方向へスライドさせることで、前記ケーシングを前記固定部材に着脱することが可能な衛生洗浄装置において、
前記ケーシングは、前記ケーシングの底面から上面に向かって窪んでいる凹部が設けられ、
前記凹部の下部には、前記凹部の側壁面から前記凹部の内方に向けて突設されるケーシング係合部を有し、
前記固定部材は、その上面から上方に向かって突設された凸部が設けられ、
前記凸部の上部には、前記凸部の側壁面から外方に向けて突設され、前記ケーシング係合部と前記凹部内にて係合可能な固定部材係合部を有し、
前記ケーシング係合部及び前記固定部材係合部の少なくとも一方には、前後方向の所定の長さに亘って切り欠きを設けられていることを特徴とする衛生洗浄装置。
【請求項２】
請求項１記載の衛生洗浄装置が水洗便器の上面後部に取り付けられたトイレ装置において、
前記衛生洗浄装置は、
水が給水される給水管と、
電力が供給される電源コードと、を有し、
前記水洗便器には、前記給水管及び前記電源コードを前記水洗便器の上面後部から背面へと導く貫通孔が形成されていることを特徴とするトイレ装置。
【発明の詳細な説明】
【技術分野】
【０００１】
本発明は、衛生洗浄装置を水洗便器に取付けるための取付構造を有するトイレ装置に関するものである。
【背景技術】
【０００２】
近年では、便座に座った人の局部に向けて洗浄水を噴出させ局部の洗浄を行う衛生洗浄装置が普及している。従来のトイレ装置には、意匠性の観点から、衛生洗浄装置の給水管と電源コードを便器内に収納して、使用者の視界に入らないようにし、トイレ装置に一体感を持たせるトイレ装置が提案されている。（例えば、実開昭６３−１１２５７８号）
また、衛生洗浄装置は従来の便座に換えて容易に取り付けることが可能となっており、衛生洗浄装置をスライド動作によって着脱可能な固定部材を有しているので、ボルトとナットによる設置方法よりも容易に衛生洗浄装置を取り付けられる。（例えば、特開平７−１９４５０１）
【先行技術文献】
【特許文献】
【０００３】
【特許文献１】実開昭６３−１１２５７８号公報
【特許文献２】特開平７−１９４５０１号公報
【発明の概要】
【発明が解決しようとする課題】
【０００４】
しかし、実開昭６３−１１２５７８は一体感のあるトイレ装置であるが、衛生洗浄装置をボルト・ナットにより固定しているため、取付け・取外しが煩雑なため不便である。
また、特開平７−１９４５０１に代表される、衛生洗浄装置の給水管と電源コードは、スライド動作の妨げにならないように、衛生洗浄装置の側面や背面から取り出す構成となっており、電源コードや給水管を、水洗便器上面に設けられた貫通孔に対して挿入し、スライドさせることが困難であるため、隠蔽することは難しい。
【０００５】
本発明は、上記問題を解決するためになされ、一体感のある、着脱容易な衛生洗浄装置を提供することを目的とする。
【課題を解決するための手段】
【０００６】
上記目的を達成するために、局部洗浄のための機能部を収納したケーシングと、水洗便器の上面後部に固定される固定部材と、を備え、水洗便器に固定された前記固定部材に対して前記ケーシングを前後方向へスライドさせることで、前記ケーシングを前記固定部材に着脱することが可能な衛生洗浄装置において、前記ケーシングは、前記ケーシングの底面から上面に向かって窪んでいる凹部が設けられ、前記凹部の下部には、前記凹部の側壁面から前記凹部の内方に向けて突設されるケーシング係合部を有し、前記固定部材は、その上面から上方に向かって突設された凸部が設けられ、前記凸部の上部には、前記凸部の側壁面から外方に向けて突設され、前記ケーシング係合部と前記凹部内にて係合可能な固定部材係合部を有し、前記ケーシング係合部及び前記固定部材係合部の少なくとも一方には、前後方向の所定の長さに亘って切り欠きを設けられていることを特徴とする衛生洗浄装置である。
【０００７】
このように構成された本発明においては、ケーシング及び固定部材のどちらか一方の係合部に設けられた切り欠きへ、他方の係合部を挿入して、凹部内に凸部を嵌めこみ、その後、後方へスライドすることで、ケーシング係合部と固定部材係合部が係合する。従って、係合部の切り欠き部分からスライドすればいいので、切り欠きを設けていない場合よりもスライド量を減らすことができる。よって施工性の向上に繋がる。
【０００８】
また、本発明において上記発明に記載の衛生洗浄装置が水洗便器の上面後部に取り付けられたトイレ装置において、前記衛生洗浄装置は、水が給水される給水管と、電力が供給される電源コードと、を有し、前記水洗便器には、前記給水管及び前記電源コードを前記水洗便器の上面後部から背面へと導く貫通孔が形成されていることを特徴とするトイレ装置である。
【０００９】
このように構成された本発明においては、ケーシング及び固定部材のどちらか一方の係合部に設けられた切り欠きへ、他方の係合部を挿入して、凹部内に凸部を嵌めこみ、その後、後方へスライドすることで、ケーシング係合部と固定部材係合部が係合する。従って、係合部の切り欠き部分からスライドすればいいので、切り欠きを設けていない場合よりもスライド量を減らすことができる。よって貫通孔の径を小さくできる。また便器垂直方向から貫通孔にアプローチができることから給水ホースが折れ曲がらずに貫通孔に納められ、給水ホースの折れによる漏水等が生じにくくなる。
【発明の効果】
【００１０】
係合部の切り欠き部分からスライドすればいいので、切り欠きを設けていない場合よりもスライド量を減らすことができる。よって施工性の向上に繋がる。
【図面の簡単な説明】
【００１１】
【図１】本発明の一実施形態にかかるトイレ装置の全体斜視図
【図２】本発明の一実施形態にかかる水洗便器と固定部材の斜視図
【図３】本発明の一実施形態にかかる固定部材の斜視図
【図４】本発明の一実施形態にかかる衛生洗浄装置の底面からの斜視図
【図５】本発明の一実施形態にかかる衛生洗浄装置がスライドする前の底面図
【図６】本発明の一実施形態にかかる衛生洗浄装置がスライドしている途中の底面図
【図７】本発明の一実施形態にかかる衛生洗浄装置がスライドした後の底面図
【発明を実施するための形態】
【００１２】
以下、本発明の実施形態について図面を参照しつつ説明する。なお、各図面中、同様の構成要素には同一の符号を付して詳細な説明は適宜省略する。
図１は本発明の一実施形態にかかるトイレ装置１００の全体斜視図である。また図２は本発明の実施形態にかかる水洗便器１０とその上面後部に設置された固定部材７０の斜視図である。衛生洗浄装置５０は、ケーシング５２と、便蓋５１と、便座５６（図４参照）と、を有する。ケーシング５２の内部には、便座５６に座った使用者の「おしり」などの洗浄を実現する身体洗浄機能部などが内蔵されている。例えばケーシング５２内に、使用者が便座５６に座ったことを検知する着座検知センサが設けられている。着座検知センサが便座５６に座った使用者を検知している場合において、使用者が例えばリモコンなどの図示しない操作部を操作すると、洗浄ノズルを水洗便器１０のボウル内に進出させることができる。そして、洗浄ノズルは、その先端部に設けられた吐水口から水を噴射して、便座５６に座った使用者の「おしり」などを洗浄することができる。本実施形態は、タンク３０に洗浄水を貯水し、水洗便器１０を洗浄する衛生便器であるが、タンク３０に貯水するものではなく、水道直圧式の衛生便器であってもよい。
【００１３】
本明細書においては、トイレ装置１００の便蓋５１の先端側を前方、便蓋５１の後端側を後方とし、トイレ装置１００の前に立った使用者からみて左右をそれぞれ、左側方、右側方とし、鉛直方向を上下方向として説明する。
【００１４】
図２において、固定部材７０は水洗便器１０の上面後部に設置されている。固定部材７０における水洗便器１０への設置方法は、従来技術と同様であり、固定部材７０にねじ孔７５が設けられ、また水洗便器１０の後部上面に図示しない取付け孔が設けられている。これらの孔に締め付けねじを挿入した状態で、水洗便器１０の裏側に設置されるナットと螺合することで、固定部材７０は水洗便器１０に取付けられる。
【００１５】
本実施形態の水洗便器１０は、後述する衛生洗浄装置５０の給水管６５と電源コード６７を水洗便器１０内部に隠蔽するための貫通孔１２を有している。貫通孔１２は給水管６５と電源コード６７を水洗便器１０の背面に導くために、水洗便器１０の上面後部から背面にかけて貫通している。
【００１６】
固定部材７０について説明する。図３において、固定部材７０は板状の略矩形形状であり、固定部材７０の中央部に所定の幅寸法で凹設した係合凹部７１であり、係合凹部７１の左右両端部には、係合凹部７１の底面との間に所定の間隔を設けた状態で、係合空条７２、７２が互いに相対する方向に向けて突設されている。また、固定部材７０の左右方向の両端部には、互いに固定部材係合部７３、７３が突設されている。この固定部材係合部７３、７３の中央付近に、固定部材７０の前後方向の所定の長さ、例えば１/３程度の固定部材切り欠き７３Ｅが設けられている。固定部材切り欠き７３Ｅによって固定部材係合部７３は、二つに分割されるので、ケーシング５２の後部側を固定部材係合部７３Ａとし、もう一方を固定部材係合部７３Ｂとする。また、固定部材７０は、その前面側から後部側に向けて所定寸法で凹設した鉤状凹部７４を有する。
【００１７】
次に、固定部材７０を介して水洗便器１０の上面後部に取付けられる衛生洗浄装置５０の構成について図４を参照しながら説明する。図４は、衛生洗浄装置５０を下から見た斜視図である。ケーシング５２の後部側底面に、固定部材７０の外径寸法に合わせて窪んだ凹部５８が設けられ、凹部５８の中央部には、固定部材７０に設けられた係合凹部７１が係合する係合凸部６０が突出形成されている。なお係合凸部６０の左右両端には、図４で示すように、固定部材７０に設けられた係合空条７２、７２が係合する係合溝６２、６２が設けられており、また、凹部５８の左右両端には、固定部材７０の前後方向の両端部に凸設した固定部材係合部７３、７３が係合するケーシング係合部５４、５４が、固定部材係合部７３、７３と対向する状態で設けられている。また、ケーシング係合部５４、５４の中央付近にも、固定部材係合部７３、７３と同様に、凹部５８の前後方向の所定の長さ、例えば１/３程度のケーシング切り欠き５４Ｅが設けられており、ケーシング係合部５４、５４は二つに分割される。それらを前後方向の後ろ側をケーシング係合部５４Ａ、他方をケーシング係合部５４Ｂとする。本実施形態では、ケーシング係合部５４、固定部材係合部７３のどちらにも切り欠きを設けたが、本発明はこのような構成に限定されず、例えば、どちらか一方に切り欠きを設けてもよい。
【００１８】
ケーシング５２内部に、左右方向に対して移動可能な状態で設けられた係止レバーがあり、係止レバーには、固定部材７０に設けられた鉤状凹部７４に係合する鉤状突起６６が突設されている。なお、係止レバーは、図示しないバネ部材等の弾性部材により、常時、右方向に付勢されている。なお、バネ部材等による付勢は、図示しない解除ボタンによって解除できる。
【００１９】
衛生洗浄装置５０は「おしり」などを洗浄するための水が給水される給水管６５と、衛生洗浄装置５０の機能を動かすための電気が供給される電源コード６７とを有する。給水管６５は、貫通孔１２に挿入しやすいように、ケーシング５２の底面部から鉛直下方向に延びている。また、電源コード６７を給水管６５に沿うように保持する保持部材６８がケーシング５２に設置されている。
【００２０】
次に図５〜図７を参照しながら固定部材７０を介して衛生洗浄装置５０を水洗便器１０の上面に取り付ける場合について説明する。図５〜７は衛生洗浄装置５０のスライド動作初期から終了までの底面図である。固定部材７０は、図示しないボルトとナットによって水洗便器１０に固定されている。まず、図５のように、ケーシング切り欠き５４Ｅに固定部材係合部７３Ｂが重なる位置、且つ、固定部材切り欠き７３Ｅにケーシング係合部５４Ａが重なる位置に衛生洗浄装置５０を合わせる。位置合わせの後、衛生洗浄装置５０を固定部材７０の上に載置する。このとき、衛生洗浄装置５０の底面に設けられる給水管６５と電源コード６７は、貫通孔１２に挿入しておく。
【００２１】
次に、衛生洗浄装置５０を便座５６の先端側から後端側へ向かってスライドさせる。図６がスライド途中の図である。そのままスライドさせ続けると、鉤状突起６６のテーパ部が鉤状凹部７４に接触し、鉤状突起６６に設けられたバネ部材等の弾性部材が縮むことによって、鉤状突起６６が図５における、衛生洗浄装置５０の底面からみて右方向に押し出される。更に衛生洗浄装置５０をスライドさせると、鉤状突起６６のテーパ部が鉤状凹部７４の入口側から外れ、鉤状突起６６は左方向へ移動し、鉤状凹部７４に嵌る。この鉤状突起６６と鉤状凹部７４が嵌ることにより、衛生洗浄装置５０の前後方向への移動が制限され、固定部材７０に固定される。衛生洗浄装置５０が固定部材７０によって固定された状態が、図７である。このとき、固定部材係合部７３Ａ、Ｂとケーシング係合部５４Ａ、Ｂが上下に重なり合っており、上下方向への移動を規制している。
【００２２】
上述した本実施形態によると、図５からわかるように、ケーシング切り欠き５４Ｅに固定部材係合部７３Ｂが重なる位置、且つ、固定部材切り欠き７３Ｅにケーシング係合部５４Ａが重なる位置から衛生洗浄装置５０をスライドさせているので、固定部材係合部７３とケーシング係合部５４に切り欠きが無い場合に比べて、スライド量を１/３程度に減らすことができる。そのため、貫通孔１２の直径よりも少ないスライド量で衛生洗浄装置５０の取り付けが行われる。よって給水管６５と電源コード６７とが、水洗便器１０の上面とケーシング５２の間に挟まることなく、衛生洗浄装置５０の設置が可能となる。
【００２３】
また、ケーシング係合部５４と固定部材係合部７３のそれぞれに中央部から前後方向の切り欠きを設け、それら二つに分割された係合部はそれぞれが互いに係合している。よって係合部の係り合う幅を十分に確保できるため、前後方向に対する固定がガタツキなく固定できる。
【符号の説明】
【００２４】
１０  水洗便器
１２  貫通孔
３０  タンク
５０  衛生洗浄装置
５１  便蓋
５２  ケーシング
５４Ａ、Ｂ  ケーシング係合部
５４Ｅ  ケーシング切り欠き
５６  便座
５８  凹部
６０  係合凸部
６２  係合溝
６４  係止レバー
６５  給水管
６６  鉤状突起
６７  電源コード
６８  保持部材
７０  固定部材
７１  係合凹部
７２  係合空条
７３Ａ、Ｂ  固定部材係合部
７３Ｅ  固定部材切り欠き
７４  鉤状凹部
７５  ねじ孔
１００  トイレ装置
【図１】
2014147445.tif 000003
【図２】
2014147445.tif 000004
【図３】
2014147445.tif 000005
【図４】
2014147445.tif 000006
【図５】
2014147445.tif 000007
【図６】
2014147445.tif 000008
【図７】
2014147445.tif 000009